(57)【要約】【課題】ガス抜き弁の意図しない外れを防止できる往復動ポンプを提供する。【解決手段】ポンプ室に臨むダイアフラムを往復動させることで流体を吸引および吐出する往復動ポンプは、前記ポンプ室に連通する吸引通路および吐出通路と、前記吐出通路に連通するガス抜き通路と、が内部に形成されたポンプヘッド１２と、前記ガス抜き通路に螺合され、締緩されることで前記吐出通路と外部空間との連通を、遮断および許容するガス抜き弁４０と、前記ガス抜き弁４０の緩め方向への回転量を制限するストップ機構５０と、を備える。ストップ機構５０は、ガス抜き弁４０が特定の回転位置に達すれば、互いに当接することで、ガス抜き弁４０の更なる回転を制限する弁側突出部５４とヘッド側突出部５４と、を有する。【選択図】図２
2020084833.tif 000002
【特許請求の範囲】
【請求項１】
ポンプ室に臨むダイアフラムを往復動させることで流体を吸引および吐出する往復動ポンプであって、
前記ポンプ室に連通する吸引通路および吐出通路と、前記吐出通路に連通するガス抜き通路と、が内部に形成されたポンプヘッドと、
前記ガス抜き通路に螺合され、締緩されることで前記吐出通路と外部空間との連通を、遮断および許容するガス抜き弁と、
前記ガス抜き弁の緩め方向への回転量を制限するストップ機構と、
を備える、ことを特徴とする往復動ポンプ。
【請求項２】
請求項１に記載の往復動ポンプであって、
前記ストップ機構は、
前記ポンプヘッドの外側において、前記ガス抜き弁の周面から径方向外側に張り出す支持プレートと、
前記ポンプヘッドのうち前記支持プレートと軸方向に対向するベース面と、
前記支持プレートから前記ベース面に向かって突出する弁側突出部と、
前記ベース面から前記支持プレートに向かって突出し、前記ガス抜き弁が特定の回転位置に達すれば、前記弁側突出部に当接することで前記ガス抜き弁の更なる回転を制限するヘッド側突出部と、
を備えることを特徴とする往復動ポンプ。
【請求項３】
請求項２に記載の往復動ポンプであって、
前記弁側突出部および前記ヘッド側突出部の少なくとも一方は、他方を乗り越えるように、前記ガス抜き弁の軸方向に弾性変位可能である、ことを特徴とする往復動ポンプ。
【請求項４】
請求項３に記載の往復動ポンプであって、
前記支持プレートは、前記ガス抜き弁の軸方向に撓み可能な程度の厚みを有しており、
前記支持プレートが撓むことで、前記弁側突出部が前記ヘッド側突出部を乗り越える、
ことを特徴とする往復動ポンプ。
【請求項５】
請求項４に記載の往復動ポンプであって、
前記支持プレートは、その径方向根元のみが前記ガス抜き弁に繋がった片持ち梁状である、ことを特徴とする往復動ポンプ。
【請求項６】
請求項３〜５のいずれか１項に記載の往復動ポンプであって、
前記ヘッド側突出部は、その周方向一端のみが前記ベース面に連結された片持ち梁状のアーム部と、前記弁側突出部に当接する先端部と、を有し、
前記ポンプヘッドのうち前記アーム部と軸方向に隣接する箇所は、前記アーム部の軸方向への揺動を許容するべく、切り欠きが設けられている、
ことを特徴とする往復動ポンプ。
【請求項７】
請求項２〜６のいずれか１項に記載の往復動ポンプであって、
前記弁側突出部およびヘッド側突出部それぞれの周方向の片側端面は、前記ガス抜き弁を緩める方向に回転させた際に他方に当接する緩め側端面として機能し、
前記弁側突出部およびヘッド側突出部それぞれの周方向の反対側端面は、前記ガス抜き弁を締める方向に回転させた際に他方に当接する締め側端面として機能し、
前記緩め側端面の傾斜角度は、締め側端面の傾斜角度よりも、前記ガス抜き弁の軸方向角度に近い、
ことを特徴とする往復動ポンプ。
【請求項８】
請求項１〜７のいずれか１項に記載の往復動ポンプであって、
前記吐出通路と外部を遮断した状態から連通した状態に切り替えるのに必要な前記ガス抜き弁の緩め方向への回転量は、１回転未満である、ことを特徴とする往復動ポンプ。
【発明の詳細な説明】
【技術分野】
【０００１】
本明細書では、ポンプ室に臨むダイアフラムを往復動させることで液体を吸引および吐出する往復動ポンプを開示する。
【背景技術】
【０００２】
従来から、ポンプ室に臨むダイアフラムを往復動させることで液体を吸引および吐出する往復動ポンプが広く知られている。かかる往復動ポンプは、定量性を達成することができるので、化学薬液を定量注入するために広く使用されている。しかしながら、かかる往復動ポンプでは、取扱い液中に気体が混在すると、この気体の膨張・圧縮のためにポンプ作用の低下、さらには停止する場合があった。
【０００３】
そこで、従来から、往復動ポンプにガス抜き弁を設けることが提案されている（例えば、特許文献１等）。ガス抜き弁は、吐出流路の途中に設けられた吐出弁付近に溜まったガスを外部に放出する弁である。このガス抜き弁は、一般に、吐出弁に連通したガス抜き通路に螺合されており、締めることで吐出弁と外部との連通を遮断し、緩めることで吐出弁と外部とを連通する。吐出弁付近に多量のガスが溜まった場合には、当該ガス抜き弁を緩めることで、当該ガスを外部に放出できる。
【先行技術文献】
【特許文献】
【０００４】
【特許文献１】特開２０１０−１２７２７３号公報
【発明の概要】
【発明が解決しようとする課題】
【０００５】
ここで、上述した通り、ガスを放出するためには、ガス抜き弁を緩める、すなわち、ガス抜き弁を一方向に回転させる必要があるが、従来、このガス抜き弁の回転量について特段の制限が設けられていなかった。そのため、必要以上にガス抜き弁を回転（緩め）させてしまい、ガス抜き弁がポンプヘッドから外れてしまう場合があった。この場合、ガス抜き流路から多量の液体が漏出するおそれがあった。
【０００６】
そこで、本明細書では、ガス抜き弁の意図しない外れを防止できる往復動ポンプを開示する。
【課題を解決するための手段】
【０００７】
本明細書で開示する往復動ポンプは、ポンプ室に臨むダイアフラムを往復動させることで流体を吸引および吐出する往復動ポンプであって、前記ポンプ室に連通する吸引通路および吐出通路と、前記吐出通路に連通するガス抜き通路と、が内部に形成されたポンプヘッドと、前記ガス抜き通路に螺合され、締緩されることで前記吐出通路と外部空間との連通を、遮断および許容するガス抜き弁と、前記ガス抜き弁の緩め方向への回転量を制限するストップ機構と、を備える、ことを特徴とする。
【０００８】
この場合、前記ストップ機構は、前記ポンプヘッドの外側において、前記ガス抜き弁の周面から径方向外側に張り出す支持プレートと、前記ポンプヘッドのうち前記支持プレートと軸方向に対向するベース面と、前記支持プレートから前記ベース面に向かって突出する弁側突出部と、前記ベース面から前記支持プレートに向かって突出し、前記ガス抜き弁が特定の回転位置に達すれば、前記弁側突出部に当接することで前記ガス抜き弁の更なる回転を制限するヘッド側突出部と、を備えてもよい。
【０００９】
この場合、前記弁側突出部および前記ヘッド側突出部の少なくとも一方は、他方を乗り越えるように、前記ガス抜き弁の軸方向に弾性変位可能であってもよい。
【００１０】
また、前記支持プレートは、前記ガス抜き弁の軸方向に撓み可能な程度の厚みを有しており、前記支持プレートが撓むことで、前記弁側突出部が前記ヘッド側突出部を乗り越えてもよい。
【００１１】
さらに、前記支持プレートは、その径方向根元のみが前記ガス抜き弁に繋がった片持ち梁状であってもよい。
【００１２】
また、前記ヘッド側突出部は、その周方向一端のみが前記ベース面に連結された片持ち梁状のアーム部と、前記弁側突出部に当接する先端部と、を有し、前記ポンプヘッドのうち前記アーム部と軸方向に隣接する箇所は、前記アーム部の軸方向への揺動を許容するべく、切り欠きが設けられていてもよい。
【００１３】
また、前記弁側突出部およびヘッド側突出部それぞれの周方向の片側端面は、前記ガス抜き弁を緩める方向に回転させた際に他方に当接する緩め側端面として機能し、前記弁側突出部およびヘッド側突出部それぞれの周方向の反対側端面は、前記ガス抜き弁を締める方向に回転させた際に他方に当接する締め側端面として機能し、前記緩め側端面の傾斜角度は、締め側端面の傾斜角度よりも、前記ガス抜き弁の軸方向角度に近くてもよい。
【００１４】
また、前記吐出通路と外部を遮断した状態から連通した状態に切り替えるのに必要な前記ガス抜き弁の緩め方向への回転量は、１回転未満であってもよい。
【発明の効果】
【００１５】
本明細書で開示する往復動ポンプによれば、ガス抜き弁の緩め方向への回転量が制限されるため、ガス抜き弁の意図しない外れが防止できる。
【図面の簡単な説明】
【００１６】
【図１】往復動ポンプのポンプヘッドの断面図である。
【図２】ストップ機構周辺の斜視図である。
【図３】ストップ機構を真上から見た図である。
【図４】ストップ機構の動きを示す模式図である。
【図５】他のストップ機構周辺の斜視図である。
【図６】図３のストップ機構の概略的な断面図である。
【図７】他のストップ機構周辺の斜視図である。
【図８】図７のストップ機構を真上から見た図である。
【図９】ストップ機構の動きを示す模式図である。
【発明を実施するための形態】
【００１７】
以下、図面を参照して往復動ポンプ１０の構成について説明する。図１は、往復動ポンプ１０の断面図である。この往復動ポンプ１０は、対象流体が流れるポンプヘッド１２と、ポンプ室１８に臨むダイアフラム１６を往復進退させる駆動部（図示せず）と、を有している。ポンプヘッド１２は、その厚み方向が略水平である円板状または楕円板状部材である。ポンプヘッド１２の厚み方向一端には、凹部１４が形成されている。この凹部１４は、可撓性材料からなるダイアフラム１６で覆われている。このダイアフラム１６と凹部１４との間がポンプ室１８となる。
【００１８】
ダイアフラム１６には、水平方向に延びる軸１７が接続されている。駆動部には、この軸を水平方向に往復進退させる機構が設けられている。かかる駆動部の機構としては、例えば、電磁プランジャなどを用いることができる。こうした駆動部の構成は、従来の技術を用いることができるため、ここでの詳説は、省略する。
【００１９】
ポンプヘッド１２には、さらに、このポンプ室１８から水平方向に延びる共通路２０と、ポンプヘッド１２の下端から共通路２０に向かって略鉛直方向に延びる吸引通路２２と、共通路２０からポンプヘッド１２の上端に向かって略鉛直方向に延びる吐出通路２４と、吐出通路２４（より正確には吐出弁３４）に連通されたガス抜き通路３０と、が設けられている。吸引通路２２の途中には、吸引口２６から共通路２０に向かう流れのみを許容する逆止弁である吸引弁３２が設けられている。また、吐出通路２４の途中には、共通路２０から吐出口２８に向かう流れのみを許容する逆止弁である吐出弁３４が設けられている。ガス抜き通路３０は、吐出通路２４、より正確には吐出弁３４の側面に連通する通路である。
【００２０】
ポンプヘッド１２の厚み方向他端には、水平方向に突出するボス３１が形成されている。このボス３１の端面からは、ガス抜き通路３０に連通する弁挿入穴３３が水平方向に延びている。この弁挿入穴３３の内周面には、雌ネジが形成されている。
【００２１】
ガス抜き弁４０は、弁挿入穴３３に螺合され、吐出通路２４と外部空間との連通／遮断を切り替える弁である。ガス抜き弁４０の内部には、ガス抜き弁４０の周面から径方向に延びる小孔４２と、当該小孔４２から外部まで軸方向に延びる放出通路４４と、が形成されている。ガス抜き弁４０と弁挿入穴３３との間には、Ｏリングガス４６ａ，４６ｂが設けられており、ガス抜き弁４０を完全に締めた場合、吐出通路２４と外部空間とが完全に遮断される。一方、ガス抜き弁４０を適度に緩めると、吐出通路２４と外部空間とが、弁挿入穴３３、ガス抜き通路３０、小孔４２、放出通路４４を介して連通される。
【００２２】
以上の構成の往復動ポンプ１０の動作について簡単に説明する。ダイアフラム１６が後退（図１における右方向に移動）して、ポンプ室１８が、膨張すると吐出弁３４が閉鎖される一方で、吸引弁３２が開放される。そして、これにより、吸引口２６からポンプ室１８に対象流体が流れ込む。また、ダイアフラム１６が進出して、ポンプ室１８が圧縮されると吸引弁３２が閉鎖される一方で、吐出弁３４が開放される。これにより、ポンプ室１８内の対象流体が吐出通路２４を通って外部に吐出される。以上のダイアフラム１６の進退動作を繰り返すことで、対象流体が圧送される。
【００２３】
ところで、通常、対象流体には空気等のガスが含まれている。こうしたガスが吐出弁３４の下側に滞留すると、当該ガスの膨張・圧縮のためにポンプ作用が低下し、さらには停止する場合があった。すなわち、吐出弁３４の下側にガスが滞留すると、ポンプ室１８を圧縮させても、その力の一部が当該ガスの圧縮に利用され、対象液体が吐出されにくくなる。また、その後、ポンプ室１８を膨張させても、その力の一部がガスの膨張に利用され、対象液体が吸引されにくくなる。そして、場合によっては、ポンプ室１８を膨張圧縮しても滞留したガスが膨張圧縮するだけで、対象液体が吐出吸引されないガスロックが生じることがあった。
【００２４】
ガス抜き弁４０は、こうしたガスロックを防止するために設けられている。ガス抜き弁４０を緩めると吐出通路２４と外部空間とが連通されて、滞留したガスが外部空間に放出される。ここで、ガスを放出するためには、ガス抜き弁４０とＯリング４６ａとの間に僅かな隙間を形成すればよく、ガス抜き弁４０を過剰に緩める必要はない。しかし、従来、ガス抜き弁４０の適切な緩め量がユーザに伝わりにくかった。その結果、ユーザが、誤って、ガス抜き弁４０を過剰に緩めてしまい、ガス抜き弁４０を弁挿入穴３３から完全に取り外してしまうことがあった。ガス抜き弁４０が弁挿入穴３３から取り外されると、対象流体が大量に漏出するなどの問題を招く。
【００２５】
そこで、本例では、ガス抜き弁４０の過剰な緩めを防止するためのストップ機構５０を設けている。これについて、図２〜図４を参照して説明する。図２は、ガス抜き弁４０周辺の斜視図である。また、図３は、ガス抜き弁４０を真上から見た図である。図４は、ストップ機構５０の動きを示す模式図である。なお、以下の説明における軸方向、径方向、周方向は、特に限定しない限り、ガス抜き弁４０の軸方向、径方向、周方向を意味する。
【００２６】
本例において、吐出通路２４と外部空間とを遮断した閉鎖状態から連通した開放状態に切り替えるのに必要なガス抜き弁４０の緩め方向への回転量は、１８０度、１／２回転である。従って、ガス抜き弁４０の雄ネジのピッチは、１／２回転で開放状態に移行できるように設定されている。本例では、回転量に比べて大きめの進退距離が得られるように、ガス抜き弁４０および弁挿入穴３３に形成される雄ネジおよび雌ネジを、二条ネジとしている。
【００２７】
既述した通り、ポンプヘッド１２の端面からは、略円筒状のボス３１が突出している。このボス３１の中心には、軸方向に延びる弁挿入穴３３が形成されており、弁挿入穴３３にはガス抜き弁４０が螺合されている。ガス抜き弁４０の頭部４８は、ボス３１よりも外側に露出している。
【００２８】
ガス抜き弁４０の頭部４８の途中には、径方向外側に張り出した略円板状のフランジ部４９が設けられている。このフランジ部４９の一部は、ガス抜き弁４０の軸方向に撓める程度に厚みが削られている。この厚みが削られた部分が、支持プレート５２となる。弁側突出部５４は、この支持プレート５２からボス３１に向かって突出している。弁側突出部５４は、図３に示すように、上面視で、略三角形となっている。別の言い方をすると、弁側突出部５４は、その周方向両端が、軸方向に対して傾斜している。より具体的には、弁側突出部５４の周方向両端のうち、ガス抜き弁４０を緩める方向側（図３における紙面上側）の端面である緩め側端面５４ａは、軸方向に対して僅かに傾斜している。一方、弁側突出部５４の周方向両端のうち、ガス抜き弁４０を締め方向側（図３における紙面下側）の端面である締め側端面５４ｂは、軸方向に対して大きく傾斜している。つまり、本例において、緩め側端面５４ａの傾斜角度は、締め側端面５４ｂの傾斜角度よりも、ガス抜き弁４０の軸方向角度に近い。
【００２９】
ボス３１の軸方向端面は、支持プレート５２と対向するベース面６０となる。このベース面６０には、支持プレート５２に向かって突出するヘッド側突出部６２が設けられている。ヘッド側突出部６２も上面視で略三角形となっている。より具体的には、ヘッド側突出部６２の軸方向両端のうち、弁側突出部５４から見て緩める側にある緩め側端面６２ａは、軸方向に対して僅かに傾斜している。一方、ヘッド側突出部６２のうち、弁側突出部５４から見て締め側にある締め側端面６２ｂは、軸方向に対して大きく、例えば、４５度以上傾斜している。つまり、ヘッド側突出部６２においても、緩め側端面６２ａの傾斜角度は、締め側端面６２ｂの傾斜角度よりも、ガス抜き弁４０の軸方向角度に近い。
【００３０】
ガス抜き弁４０の緩め方向への回転量を制限するストップ機構５０は、上述した支持プレート５２、弁側突出部５４、ベース面６０、ヘッド側突出部６２を含んでいる。ガス抜き弁４０を完全に締めた閉鎖状態とした場合、弁側突出部５４はヘッド側突出部６２から周方向に１８０度以上ずれて位置する。この状態からヘッド側突出部６２を緩める方向に回転させると、ガス抜き通路３０が開放される。そして、ガス抜き弁４０を一定以上、回転させようとすると、弁側突出部５４の緩め側端面５４ａが、図４（ａ）に示すように、ヘッド側突出部６２の緩め側端面６２ａに当接する。これにより、ガス抜き弁４０の緩め方向への更なる回転が制限される。そして、これにより、意図しないガス抜き弁４０の取り外しが効果的に防止される。
【００３１】
ところで、このガス抜き弁４０は、メンテナンスの際などには、ポンプヘッド１２から取り外される必要がある。そこで、ユーザが意図した場合には、ガス抜き弁４０をポンプヘッド１２から取り外せるように、本例では、弁側突出部５４がヘッド側突出部６２を乗り越えられるように、弁側突出部５４を軸方向に弾性変位できるようにしている。具体的には、本例では、弁側突出部５４が設置されている支持プレート５２を、軸方向に撓める程度に薄くしている。この支持プレート５２を、に示すように、ベース面６０から離れる方向に軸方向に押して撓ませることで、弁側突出部５４が軸方向に弾性変位する。そして、支持プレート５２を撓ませた状態で、ガス抜き弁４０を緩め方向に回転させれば、弁側突出部５４がヘッド側突出部６２を乗り越えることができる。そして、この作業を続けることで弁側突出部５４を、弁挿入穴３３から離脱させることができる。
【００３２】
ガス抜き弁４０を弁挿入穴３３に組み付ける際には、ガス抜き弁４０を弁挿入穴３３に挿し込んだ後、締め方向に回転させる。この回転に伴い、弁側突出部５４の締め側端面５４ｂが、図４（ｂ）に示すように、ヘッド側突出部６２の締め側端面６２ｂに当接する。この場合も、支持プレート５２がベース面６０から離れる方向に撓むことで、弁側突出部５４がヘッド側突出部６２を乗り越えることができる。なお、弁側突出部５４の回転は、緩め方向については、規制される必要があるが、締め方向については、特段、規制される必要はない。そこで、本例では、締め側端面５４ｂ，６２ｂの傾斜角度を大きくし、締め側端面５４ｂ，６２ｂにかかった周方向の力の多くが、軸方向の力に変換されるようにしている。これにより、ガス抜き弁４０を組み付ける際、ユーザが支持プレート５２を手指で押さなくても、ガス抜き弁４０を締める方向に強く回せば、弁側突出部５４がヘッド側突出部６２を乗り越えられる。結果として、ガス抜き弁４０の組み付け作業を簡易化できる。
【００３３】
以上の説明から明らかな通り、本例によれば、ガス抜き弁４０の緩め方向への回転量が適切に制限される。結果として、ガス抜き弁４０の意図しない離脱が防止できる。
【００３４】
次に、ストップ機構５０の他の形態について説明する。図５は、他のストップ機構５０を有したガス抜き弁４０の斜視図である。また、図６は、弁側突出部５４周辺の概略的な断面図である。この形態においても、ストップ機構５０は、支持プレート５２と、弁側突出部５４と、ベース面６０と、ヘッド側突出部６２を有している。ただし、本例において、支持プレート５２の周方向両端には、切り込み６３が形成されており、支持プレート５２とフランジ部４９が分離されている。別の言い方をすると、支持プレート５２は、径方向根元側だけがガス抜き弁４０に繋がった片持ち梁状となっている。
【００３５】
かかる構成とすることで、支持プレート５２は、図６に示すように、より容易に撓みやすくなる。その結果、支持プレート５２に対して大きな力を加えなくても、支持プレート５２を撓ませることができ、ガス抜き弁４０の取り外し及び組み付けをより簡易に行うことができる。
【００３６】
次に、他のストップ機構５０について図７〜図９を参照して説明する。図７は、他のストップ機構５０周辺の斜視図である。また、図８は、ストップ機構５０を真上から見た図である。さらに、図９は、ストップ機構５０の動きを示す概略図である。
【００３７】
これまでの説明では、ガス抜き弁４０に設けられた弁側突出部５４を弾性変位できるようにしたが、本例では、ポンプヘッド１２に設けられるヘッド側突出部６２を軸方向に弾性変位できるようにしている。具体的に説明すると、本例では、フランジ部４９が支持プレート５２として機能しており、弁側突出部５４は、このフランジ部４９（支持プレート５２）からベース面６０に向かって突出している。
【００３８】
ヘッド側突出部６２は、周方向一端のみがベース面６０に繋がった片持ち梁状のアーム部６４と、このアーム部６４の先端に設けられた先端部６６と、を有している。ポンプヘッド１２のうちアーム部６４と軸方向に隣接する箇所には、アーム部６４の軸方向への揺動を許容するべく、切り欠き６８が設けられている。また、先端部６６は、弁側突出部５４に当接する部分であり、軸方向に対して僅かに傾斜した緩め側端面６２ａと、軸方向に対して大きく傾斜した締め側端面６２ｂと、を有している。
【００３９】
この場合においても、ガス抜き弁４０を閉鎖状態から緩め方向に回転させると、図９（ａ）に示すように、弁側突出部５４の緩め側端面５４ａが、ヘッド側突出部６２の緩め側端面６２ａに当接し、これにより、ガス抜き弁４０の過剰な緩めが防止される。
【００４０】
また、メンテナンスなどのためにガス抜き弁４０を取り外す際には、ユーザは、ヘッド側突出部６２のアーム部６４を支持プレート５２から離れる方向に押して、揺動させる。この状態でガス抜き弁４０を緩める方向にさらに回転させることで、弁側突出部５４がヘッド側突出部６２を容易に乗り越えられる。そして、これにより、ガス抜き弁４０を容易に取り外すことができる。
【００４１】
また、一度取り外されたガス抜き弁４０を、弁挿入穴３３に組み付ける際には、ガス抜き弁４０を弁挿入穴３３に挿し込み、締め方向に回転させればよい。このとき、ヘッド側突出部６２の締め側端面６２ｂは、軸方向に対して大きく傾斜しているため、図９（ｂ）に示すように、弁側突出部５４の締め側端面５４ｂから受ける力の大部分が軸方向に変換され、アーム部６４が軸方向に揺動する。その結果、手指でアーム部６４を押さなくても、弁側突出部５４がヘッド側突出部６２を乗り越えられる。
【００４２】
以上、説明したように、ガス抜き弁４０の緩め方向への回転量を制限するストップ機構５０を設けることで、ガス抜き弁４０の意図しない取り外しを防止できる。また、弁側突出部５４及びヘッド側突出部６２の少なくとも一方を軸方向に弾性変位できるようにすることで、必要に応じて、ガス抜き弁４０の取り外し及び組み付けが可能になる。
【００４３】
なお、これまで説明した構成は一例であり、少なくとも、ガス抜き弁４０の緩め方向への回転量を制限するストップ機構５０を有するのであれば、その他の構成は、適宜変更されてもよい。例えば、上述の説明では、弁側突出部５４及びヘッド側突出部６２の一方だけを、軸方向に弾性変位できる構成としているが、双方が軸方向に弾性変位できてもよい。従って、例えば、ガス抜き弁４０に、軸方向に撓むことができる支持プレート５２を設けるとともに、ポンプヘッド１２に、アーム部６４を含むヘッド側突出部６２を設けてもよい。
【００４４】
また、本例では、閉鎖状態から開放状態までに必要な回転量を１／２回転としているが、こうした回転量は１回転未満であれば、適宜変更されてもよい。また、ヘッド側突出部６２および弁側突出部５４の形状は、適宜変更されてもよい。従って、弁側突出部５４及びヘッド側突出部６２は、例えば、上面視で、相手側に凸となる半円形などでもよい。
【符号の説明】
【００４５】
１０  往復動ポンプ、１２  ポンプヘッド、１４  凹部、１６  ダイアフラム、１７  軸、１８  ポンプ室、２０  共通路、２２  吸引通路、２４  吐出通路、２６  吸引口、２８  吐出口、３０  ガス抜き通路、３１  ボス、３２  吸引弁、３３  弁挿入穴、３４  吐出弁、４０  ガス抜き弁、４２  小孔、４４  放出通路、４６  Ｏリング、４８  頭部、４９  フランジ部、５０  ストップ機構、５２  支持プレート、５４  弁側突出部、５４ａ，６２ａ  緩め側端面、５４ｂ，６２ｂ  締め側端面、６０  ベース面、６２  ヘッド側突出部、６３  切り込み、６４  アーム部、６６  先端部、６８  切り欠き。
【図１】
2020084833.tif 000003
【図２】
2020084833.tif 000004
【図３】
2020084833.tif 000005
【図４】
2020084833.tif 000006
【図５】
2020084833.tif 000007
【図６】
2020084833.tif 000008
【図７】
2020084833.tif 000009
【図８】
2020084833.tif 000010
【図９】
2020084833.tif 000011